(57)【要約】      （修正有）【課題】ゴルフシューズに固定する際に、縁部又は靴紐のいずれをも選択可能で、競技者の足を圧迫せず、また、マーカーの素材を問わず確実に保持可能で、保持と取出しが容易なゴルフボールマーカーホルダを提供する。【解決手段】本体部２と、該本体部の表面２ａ側のマーカー保持部３と、本体部の裏面２ｂ側の固定部４を備え、該固定部は、本体部の裏面から所定距離離間し、所定の長さを有し、一方が開放端７ｃである咥え部７と、開放端の突出部８と、ゴルフシューズの靴紐を挿通可能な突出部の穴部８ａとを備える。マーカー保持部は、一対の片部材５，６と、片部材間のマーカー保持空間Ｓと、片部材の一方の端部５ａ，６ａ間と他方の端部間５ｂ，６ｂとに形成された差込み口Ｓ１，Ｓ２とを備え、差込み口の寸法がマーカーＭの最大幅寸法よりも小さく、片部材の中央部５ｃ，６ｃ間の寸法が最大幅寸法と同一若しくは僅かに大きく設定される。【選択図】図４
0003162356.tif 000002
【実用新案登録請求の範囲】
【請求項１】
板状の本体部と、
該本体部の表面側に備えられ、板状のボールマーカーを保持可能なマーカー保持部と、
該本体部の裏面側に備えられ、該本体部を競技者のゴルフシューズに固定する固定部とを備え、
固定部は、
該本体部の裏面から所定距離離間して、本体部の裏面に沿って所定の長さを有し、一方が開放端となった咥え部と、
該咥え部の開放端に備えられ、本体部の裏面側に当接する突出部と、
該突出部に形成され、ゴルフシューズの靴紐を挿通可能な筒状の穴部と
を備えてなることを特徴とするボールマーカーホルダ。
【請求項２】
咥え部の反本体部裏面側は、平坦な平板に形成されており、
突出部が本体部の裏面に当接したときに、咥え部は、本体部の裏面と並行になるように構成されていることを特徴とする請求項１に記載のボールマーカーホルダ。
【請求項３】
咥え部は弾性を有し、
該咥え部の弾性によって、突出部が本体部の裏面に押し付けられていることを特徴とする請求項１または請求項２のいずれかに記載のボールマーカーホルダ。
【請求項４】
マーカー保持部は、
互いに対向した一対の片部材と、
該一対の片部材間に形成され、ボールマーカーを保持するマーカー保持空間と、
該一対の片部材の一方の端部間と他方の端部間とのどちらか一方若しくは双方に形成され、マーカー保持空間と連通したボールマーカー差込み口とを備え、
ボールマーカー差込み口の寸法は、ボールマーカーの最大幅寸法よりも小さく、マーカー保持空間の一対の片部材の中央部間の寸法は、ボールマーカーの最大幅寸法と同一若しくは僅かに大きく設定され、
マーカー保持空間には、保持されたボールマーカーの脱落を防止する脱落防止構造を備えている
ことを特徴とする請求項１乃至請求項３のいずれかに記載のボールマーカーホルダ。
【請求項５】
マーカー保持部は、該本体部の表面側に沿って、該本体部に対して軸回転可能に配された板状の基板を備え、
互いに対向した一対の片部材とボールマーカー差込み口とマーカー保持空間は、該基板の表面に備えられている
ことを特徴とする請求項１乃至請求項４のいずれかに記載のボールマーカーホルダ。
【請求項６】
脱落防止構造は、一方若しくは双方の片部材の反本体部側の頂辺から、マーカー保持空間側に向けて突出した鍔部を形成し、
該鍔部は、ボールマーカーをマーカー保持空間に保持した場合に、ボールマーカーの表面の少なくとも一部を覆うように形成されている
ことを特徴とする請求項１乃至請求項５のいずれかに記載のボールマーカーホルダ。
【請求項７】
脱落防止構造は、一対の片部材間に掛け渡され固定された蓋部材で形成され、
該蓋部材は、ボールマーカーをマーカー保持空間に保持した場合に、ボールマーカーの表面の少なくとも一部を覆うように形成されている
ことを特徴とする請求項１乃至請求項５のいずれかに記載のボールマーカーホルダ。
【請求項８】
一対の片部材のボールマーカー差込み口を形成する端部には、本体部の表面に沿った切り込みが形成されている
ことを特徴とする請求項１乃至請求項７のいずれかに記載のボールマーカーホルダ。
【請求項９】
一対の片部材のボールマーカー差込み口を形成する端部の反本体部側の頂辺は、一対の片部材の中央部側から端部にかけて、徐々に本体部の表面から離間するように形成されている
ことを特徴とする請求項１乃至請求項８のいずれかに記載のボールマーカーホルダ。
【考案の詳細な説明】
【技術分野】
【０００１】
本考案は、ゴルフ競技の際に、自分のボールのかわりに、ボールの位置の目印として、仮置きする板状のボールマーカーを持ち運ぶためのマーカーホルダに関する。
【背景技術】
【０００２】
ゴルフ競技において、競技中に、競技者のゴルフボール（以下、ボールと略して称する）を何らかの理由で取りあげる場合には、取りあげる前の位置にそのボールを戻す際の目印として、ゴルフボールマーカー（以下、マーカーと略して称する）を仮置きすることが求められている。
例えば、競技者のボールがグリーン上に乗った場合などには、競技者は、他の競技者が競技を行なっている間、自分のボールを取りあげることにより、競技者のボールが他の競技者の競技の妨げや援助となることを避けて、競技の公平性を保つ必要がある。
そのとき、競技者のボールの位置の目印として、ボールの近傍にマーカーを仮置きすることによって、競技者が競技を再開する際には、仮置きされているマーカーが目印となり、ボールを正確な位置に戻すことができる。
【０００３】
また、ゴルフ競技は、ゴルフ場に点在するホールを転々と移動することから、競技者は、マーカーを持ち運ぶこととなる。
従来、競技者がマーカーを持ち運ぶ場合、ズボンのポケットなどにしまうことが多かったが、ズボンのポケットなどにしまって持ち運ぶと、紛失する虞が高かったこと、及び競技中にポケットを弄る仕草がおしゃれではなかったため、ファッション性を兼ねて帽子やシューズ等にマーカーホルダを取り付け、そのマーカーホルダにマーカーを保持させて持ち運ぶようにしている。
例えば、特許文献１では、ゴルフシューズ（以下、単にシューズという。）に取り付けるマーカーホルダが提案されている。特許文献１に開示のマーカーホルダは、板状に形成されたマーカーホルダの本体と、その本体の表面側に設けられ、磁石によって鉄製のマーカーを保持する保持部と、本体の裏面側に設けられ、帽子やシューズ等の縁に挟み込んで取り付けるためのクリップ部とで構成されている。
ボールを拾い上げる際には、前屈みになることから、昨今、シューズにこの種のマーカーホルダを取り付けることが流行りつつある。
そこで、特許文献１に開示のクリップ式のマーカーホルダとともに、靴紐で保持するタイプのマーカーホルダも提案されている。
【０００４】
しかし、このような従来のマーカーホルダにあっては、次のような課題があった。
（１）特許文献１に開示のマーカーホルダをシューズの靴紐に固定したい場合には、クリップ部を靴紐に引っ掛ける固定方法となる。従って、マーカーを着脱する際に、マーカーホルダが強く引っ張られた場合には、マーカーホルダが靴紐から外れてしまう虞があった。
（２）従来のマーカーホルダのクリップ部は、クリップ部の反本体側に突起が形成されており、シューズの縁をクリップに挟み込んでマーカーホルダを固定した場合には、前記突起が競技者の足を圧迫してしまい、競技者の集中力を欠く虞があった。
（３）マーカーホルダの保持部に磁石を備えて、鉄製のマーカーを吸着保持した場合には、マーカーは磁力で吸着保持されているだけなので、マーカーが、競技者の意思に反して外れてしまう虞があった。さらに、この種のタイプのマーカーホルダでは、鉄製のマーカーしか保持し得ないという不都合もあった。
（４）特許文献１の先行技術を含め従来のマーカーホルダでは、クリップ固定式か靴紐固定式のいずれかであったため、靴紐のあるシューズと靴紐のないシューズのいずれであっても対応し得るものではなかった。従って、それぞれのシューズに応じたマーカーホルダを用意しなければならないという不都合があった。
【先行技術文献】
【特許文献】
【０００５】
【特許文献１】登実３１１９８６４号公報
【考案の概要】
【考案が解決しようとする課題】
【０００６】
本考案は、上記問題点を解決するためになされており、その目的は、競技者のシューズに固定する際に、シューズの縁部または靴紐のいずれをも選択可能で、固定した際に競技者の足を圧迫することのないマーカーホルダを提供することである。また、マーカーの材質を問わず、マーカーを確実に保持可能であって、マーカーの保持と取り出しが容易なマーカーホルダを提供することである。
【課題を解決するための手段】
【０００７】
上記課題を達成するために、本考案が成した第１の技術的手段は、板状の本体部と、該本体部の表面側に備えられ、板状のマーカーを保持可能なマーカー保持部と、該本体部の裏面側に備えられ、該本体部を競技者のシューズに固定する固定部とを備え、固定部は、該本体部の裏面から所定距離離間して、本体部の裏面に沿って所定の長さを有し、一方が開放端となった咥え部と、該咥え部の開放端に備えられ、本体部の裏面側に当接する突出部と、該突出部に形成され、シューズの靴紐を挿通可能な筒状の穴部とを備えてなることを特徴とするマーカーホルダとしたことである。
第２の技術的手段は、第１の技術的手段において、咥え部の反本体部裏面側は、平坦な平板に形成されており、突出部が本体部の裏面に当接したときに、咥え部は、本体部の裏面と平行になるように構成されたことを特徴とするマーカーホルダとしたことである。
第３の技術的手段は、第１又は第２の技術的手段において、咥え部は弾性を有し、該咥え部の弾性によって、突出部が本体部の裏面に押し付けられていることを特徴とするマーカーホルダとしたことである。
【０００８】
第４の技術的手段は、第１乃至第３の技術的手段のいずれかにおいて、マーカー保持部は、互いに対向した一対の片部材と、該一対の片部材間に形成され、マーカーを保持するマーカー保持空間と、該一対の片部材の一方の端部間と他方の端部間とのどちらか一方若しくは双方に形成され、マーカー保持空間と連通したマーカー差込み口とを備え、マーカー差込み口の寸法は、マーカーの最大幅寸法よりも小さく、マーカー保持空間の一対の片部材の中央部間の寸法は、マーカーの最大幅寸法と同一若しくは僅かに大きく設定され、マーカー保持空間には、保持されたマーカーの脱落を防止する脱落防止構造を備えていることを特徴とするマーカーホルダとしたことである。
第５の技術的手段は、第１乃至第４の技術的手段のいずれかにおいて、マーカー保持部は、該本体部の表面側に沿って、該本体部に対して軸回転可能に配された板状の基板を備え、互いに対向した一対の片部材とマーカー差込み口とマーカー保持空間は、該基板の表面に備えられていることを特徴とするマーカーホルダとしたことである。
【０００９】
第６の技術的手段は、第１乃至第５の技術的手段のいずれかにおいて、脱落防止構造は、一方若しくは双方の片部材の反本体部側の頂辺から、マーカー保持空間側に向けて突出した鍔部を形成し、該鍔部は、マーカーをマーカー保持空間に保持した場合に、マーカーの表面の少なくとも一部を覆うように形成されていることを特徴とするマーカーホルダとしたことである。
第７の技術的手段は、第１乃至第５の技術的手段のいずれかにおいて、脱落防止構造は、一対の片部材間に掛け渡され固定された蓋部材で形成され、該蓋部材は、マーカーをマーカー保持空間に保持した場合に、マーカーの表面の少なくとも一部を覆うように形成されていることを特徴とするマーカーホルダとしたことである。
【００１０】
第８の技術的手段は、第１乃至第７の技術的手段のいずれかにおいて、一対の片部材のマーカー差込み口を形成する端部には、本体部の表面に沿った切り込みが形成されていることを特徴とするマーカーホルダとしたことである。第９の技術的手段は、第１乃至第８の技術的手段のいずれかにおいて、一対の片部材のマーカー差込み口を形成する端部の反本体部側の頂辺は、一対の片部材の中央部側から端部にかけて、徐々に本体部の表面から離間するように形成されてことを特徴とするマーカーホルダとしたことである。
【考案の効果】
【００１１】
本考案によれば、競技者のシューズに固定する際に、シューズの縁部または靴紐のいずれをも選択可能で、固定した際に競技者の足を圧迫することのないマーカーホルダを提供することである。また、マーカーの材質を問わず、マーカーを確実に保持可能であって、マーカーの保持と取り出しが容易なマーカーホルダを提供することができる。
【図面の簡単な説明】
【００１２】
【図１】実施例１によるマーカーホルダの平面図である。
【図２】実施例１によるマーカーホルダの側面図である。
【図３】実施例１によるマーカーホルダの背面図である。
【図４】実施例１によるマーカーホルダの斜視図である。
【図５】図４のＡ−Ａ線断面図である。
【図６】図４のＢ−Ｂ線断面図である。
【図７】マーカーホルダをシューズの紐に固定した場合の使用状態を示す説明斜視図である。
【図８】図７の使用状態におけるシューズの紐と固定部の筒状の穴部との関係を説明する背面斜視図である。
【図９】マーカーホルダをシューズのベロ部に固定した場合の使用状態を示す説明斜視図である。
【図１０】図９の使用状態におけるシューズのベロ部と固定部との関係を示す説明斜視図である。
【図１１】実施例２によるマーカーホルダの構成を示す断面図であって、マーカー保持部が本体部に対して軸回転可能に配された構成を示す。
【図１２】実施例３によるマーカーホルダの構成を示す断面図であって、片部材の端部に本体部の表面に沿った切り込みが形成された構成を示す。
【図１３】実施例４によるマーカーホルダの構成を示す断面図であって、片部材の頂辺が、中央部側から両端部にかけて、徐々に本体部の表面から離間するように形成された構成を示す。
【図１４】実施例５によるマーカーホルダの構成を示す平面図であって、脱落防止構造が、一対の片部材の頂辺間に掛け渡されて形成された構成を示す。
【考案を実施するための形態】
【００１３】
以下、本考案に係るマーカーホルダの一実施の形態について、添付図面に基づいて説明する。なお、本実施形態は本考案の一実施形態にすぎず、何等これらに限定して解釈されるものではなく、本考案の範囲内で設計変更可能である。
【実施例１】
【００１４】
本実施例によるマーカーホルダ１は、図１乃至図６に示すように、基台となる本体部２と、該本体部２の表面２ａ側に備えられ、円板状のマーカーＭを保持可能なマーカー保持部３と、該本体部２の裏面２ｂ側に備えられ、該本体部２を競技者のシューズに固定する固定部４とを備えている。
【００１５】
本体部２は、弾性を備えた合成樹脂を板状に成形して小判型に形成されている。本体部２の厚さは、マーカー保持部３にマーカーＭを着脱する際に、過度に折れ曲がったりすることなく、また、競技者のシューズに取り付けた際に、競技中や移動中の動作によって破損することのない程度の強度を備えるため所定の厚さに形成されている。なお、所定の厚さは、本体部２が形成される材質に応じて適宜設定されれば良い。
【００１６】
マーカー保持部３は、該本体部２の表面２ａから立ち上がり、対向して配された一対の片部材５，片部材６と、該一対の片部材５，６間に形成されたマーカー保持空間Ｓと、該マーカー保持空間ＳにマーカーＭを差込むための差込み口Ｓ１及び差込み口Ｓ２と、マーカー保持空間Ｓに保持されたマーカーＭの脱落を防止する脱落防止構造Ｄとを備えている。
なお、マーカー保持部３は、本体部２と同一の弾性を備えた合成樹脂によって形成されている。
【００１７】
片部材５は、本体部２の表面２ａから一体に立ち上がり、該表面２ａに沿って横長の壁状に形成され、該表面２ａと並行の頂辺５ｄを有している。
また、片部材５の一方の端部５ａと他方の端部５ｂから外向きに、中央部５ｃが最も飛び出すように湾曲した弓形に形成されている。この場合、片部材５の湾曲形状の曲率は、保持されるマーカーＭの外周形状の曲率に合わせて形成されている。
【００１８】
片部材６は、本体部２の表面２ａから一体に立ち上がり、該表面２ａに沿って横長の壁状に形成され、該表面２ａと並行の頂辺６ｄを有している。
また、片部材６の一方の端部６ａと他方の端部６ｂから外向きに、中央部６ｃが最も飛び出すように湾曲した弓形に形成され、片部材５と対称の形状となっている。
また、片部材６は、片部材５と対向するとともに並行となるように配されている。
【００１９】
また、片部材５の一方の端部５ａのガイド部分５ｆと他方の端部５ｂのガイド部分５ｇは、外向きに広げられて形成され、片部材６の一方の端部６ａのガイド部分６ｆと他方の端部６ｂのガイド部分６ｇは、外向きに広げられて形成されている。
【００２０】
マーカー保持空間Ｓは、一対の片部材５と片部材６と間に、マーカーＭを収容可能な空間として形成されている。このため、マーカー保持空間ＳにマーカーＭを収容するため、片部材５の中央部５ｃと片部材６の中央部６ｃとの間の寸法ｃｓは、マーカーＭの最大幅寸法ｍｓと同一となるように設定されている（図１参照）。
なお、本実施例では、円板形のマーカーＭを想定しているので、この場合、最大幅寸法ｍｓはマーカーＭの直径となる。
【００２１】
一方の差込み口Ｓ１は、片部材５の一方の端部５ａと、該端部５ａに対向する片部材６の一方の端部６ａとの間に形成され、他方の差込み口Ｓ２は、片部材５の他方の端部５ｂと、該端部５ｂに対向する片部材６の他方の端部６ｂとの間に形成されている。
また、一方の差込み口Ｓ１の開口寸法ａｓ（片部材５の一方の端部５ａと、該端部５ａに対向する片部材６の端部６ａと間の寸法）と他方の差込み口Ｓ２の開口寸法ｂｓ（片部材５の他方の端部５ｂと、該端部５ｂに対向する、片部材６の端部６ｂとの間の寸法）は、互いに同一の寸法であるとともに、該寸法ａｓ，ｂｓが、マーカーＭの最大幅寸法ｍｓよりも小さくなるよう設定されている（図１参照）。
【００２２】
これにより、マーカー保持空間Ｓの形状は、片部材５の端部５ａと片部材６の端部６ａとの間と、および、片部材５の端部５ｂと片部材６の端部６ｂとの間と、および、片部材５と片部材６の中央部間とで囲まれて形成された、中央部が広がった空間となる。
【００２３】
脱落防止構造Ｄは、片部材５の反本体部２側に形成される頂辺５ｄからマーカー保持空間Ｓに向けて、本体部２の表面２ａと並行に突出して形成された鍔部５ｅと、片部材６の反本体部２側に形成される頂辺６ｄからマーカー保持空間Ｓに向けて、本体部２の表面２ａと並行に突出して形成された鍔部６ｅとで構成されている。
また、鍔部５ｅと鍔部６ｅとの間には、少なくとも、マーカー保持空間Ｓに保持されたマーカーＭに手指を挿し入れることが可能な所定の間隙Ｄ１が形成されている。
なお、鍔部５ｅ及び鍔部６ｅが形成される高さは、本体部２の表面２ａとの間にマーカーＭを収容可能となる高さを有している。
【００２４】
固定部４は、本体部２と同一の弾性を備えた合成樹脂で、該本体部２と一体に形成されるとともに、マーカーホルダ１を競技者のシューズに固定する咥え部７と、該咥え部７に備えられた突出部８と、該突出部に形成された穴部８ａを備えている。
【００２５】
咥え部７は、本体部２の裏面２ｂの一端側２ｃから、本体部２と一体に立ち上がった立ち上がり部７ａと、該立ち上がり部７ａから、本体部２の裏面２ｂから所定距離（Ｄ）離間するとともに、本体部２の裏面２ｂに沿って平坦な平面形状に形成され、本体部２の裏面２ｂの他端側２ｄ方向に所定の長さＬを有した中間部７ｂと、該中間部７ｂの開放端７ｃとで形成されている。
本実施例では、所定距離Ｄは、後述する突出部８が本体部２の裏面２ｂに接したときに、中間部７ｂと裏面２ｂとが並行となる距離とする。
【００２６】
突出部８は、咥え部７の開放端７ｃから、裏面２ｂ側に向けて、前記裏面２ｂに当接するまで突出して形成されている。なお、突出部８は、合成樹脂の弾性によって本体部２の裏面２ｂに押し付けられている。
また、突出部８の裏面２ｂに当接する先端部分８ｂは、咥え部７の中間部７ｂの長さＬ方向と交差する方向に伸びた円柱状となるように、滑らかに形成されている。
穴部８ａは、円柱状に形成された先端部分８ｂの内側に、形成された貫通穴であって、該穴部８ａは、シューズの靴紐が挿通可能な穴径に設定さている。
また、咥え部７の反裏面２ｂ側（競技者のシューズに固定した場合に競技者の足と当接する側）は、突起がなく、滑らかに形成されている。
【００２７】
次に、本実施例の具体的な使用形態の一例を説明する。
【００２８】
このように形成された咥え部７を使用してマーカーホルダ１を競技者のシューズに固定する場合には、図７乃至図８に示すように、予め固定部４の穴部８ａにシューズの靴紐Ｒを挿通しておき、従来と同様に靴紐を結んでシューズを履けば良い。
マーカーホルダ１をシューズの靴紐に固定されることによって、マーカーホルダ１のシューズへの取り付けが確実になるので、競技中や移動中にマーカーホルダ１に、衝撃が加わったり草や枝などの物体とぶつかったりしても、マーカーホルダ１がシューズから脱落することがない。
例えば、マーカーＭを使用するときに、マーカーＭがマーカーホルダ１ごと無くなってしまっていたというような失態を予防することができる。
【００２９】
また、靴紐を備えないシューズにマーカーホルダ１を固定する場合には、図９乃至図１０に示すように、シューズの縁部、例えば、ベロ部Ｑ（足の甲が当たる部分）などに、咥え部７を挟み込むようにすれば良い。
この場合には、マーカーホルダ１をシューズベロ部Ｑをマーカーホルダ１の本体部２の裏面２ｂに沿って、咥え部７の突出部８と該裏面２ｂとに咥え込まれるように差し入れる。このとき、シューズのベロ部は、咥え部７の弾性によって、突出部８の先端部分８ｂと本体部２の裏面２ｂとに挟持される。
なお、マーカーホルダ１を取り付ける位置は、これに限定されず、シューズの他の部分に固定しても良い。例えば上部の開口部（足を挿し入れる部分）などにも、上述と同様にして固定することができる。
【００３０】
このように、マーカーホルダ１は、シューズの縁部または靴紐のいずれをも固定対象として選択可能であるので、靴紐を備えないシューズと靴紐を備えたシューズの双方に対応できる。従って、その日のシューズに応じた取り付けタイプのマーカーホルダを選択・用意する面倒なこともなく、シューズとマーカーホルダとの組み合わせを考える余計な手間もない。さらに、本考案のマーカーホルダ１であれば、シューズ以外の部位であっても、咥え部７によりクリップ式として種々の部位（例えば、帽子の鍔部やゴルフウエアの袖縁等。）に取り付けることができ汎用性が高く実用性のあるものとして需要者に提供し得る。
また、マーカーホルダ１をシューズ固定した場合、固定部４の咥え部７は平坦な平面形状に形成され、突起がない構成となっているため、競技者の足に突起部分が当接して圧迫することが無く、競技者の集中の妨げになったり、移動中に突起部で足を痛めたりすることが無い。
【００３１】
なお、本実施例では、マーカーホルダ１をシューズに固定した場合を説明したが、マーカーホルダ１は、固定部４によって固定可能な被固定部であれば、シューズ以外であっても固定することができる。例えば、ゴルフウエアの紐部を穴部８ａに通したり、裾部を咥え部７で挟み込んだりすることで、マーカーホルダ１が固定されても良い。
【００３２】
次に、マーカー保持空間ＳにマーカーＭを保持させる実施形態について説明する（図１参照）。
【００３３】
マーカー保持空間ＳにマーカーＭを保持させる場合には、マーカーＭをマーカー保持空間Ｓに、該マーカー保持空間Ｓのいずれかの差込み口Ｓ１（Ｓ２）から挿し入れる。
その際、ガイド部分５ｆとガイド部分６ｆにより、差込み口Ｓ１へのマーカーＭの差込みが容易となり、ガイド部分５ｇとガイド部分６ｇにより、差込み口Ｓ２へのマーカーＭの差込みが容易となっているので、差込み口Ｓ１（Ｓ２）にマーカーＭを押し当てて、手指で押し込むことにより、ガイド部分５ｆ（ガイド部分６ｆ）がマーカーＭの外周面で押し広げられる。
【００３４】
このとき、片部材５及び片部材６は、弾性を備えた合成樹脂で形成される本体部２から立ち上がって一体に形成され、弾性を備えているので、マーカーＭの最大幅寸法ｍｓよりも小さく設定されている差込み口Ｓ１（Ｓ２）の開口幅ａｓ（ｂｓ）は、マーカーＭの外周面で押し広げられる。
そして、差込み口Ｓ１（Ｓ２）がマーカーＭの最大幅寸法ｍｓ（マーカーＭの直径）まで拡開したときに、マーカーＭが差込み口Ｓ１（Ｓ２）を通過してマーカー保持空間Ｓに移動する。
【００３５】
マーカーＭがマーカー保持空間Ｓに移動した後には、差込み口Ｓ１（Ｓ２）が、拡開前の開口幅ａｓ（ｂｓ）に復元してマーカーＭの最大幅寸法ｍｓよりも小さくなるので、マーカーＭが差込み口Ｓ１（Ｓ２）を通過することができなくなり、マーカーＭが保持される。
また、このとき、鍔部５ｅ及び鍔部６ｅがマーカーＭの表面Ｍ１の外周付近に覆い被さるので、マーカーＭがマーカー保持空間Ｓから脱落することが防止される。
【００３６】
マーカー保持空間ＳからマーカーＭを取り出す場合には、鍔部５ｅと鍔部６ｅとの間隙から手指を差し込んで、マーカーＭを差込み口Ｓ１（Ｓ２）に向けて引き寄せるか、あるいは、押し出す。
これにより、差込み口Ｓ１（Ｓ２）がマーカーＭの外周面で押し広げられるので、差込み口Ｓ１（Ｓ２）がマーカーＭの最大幅寸法ｍｓ（マーカーＭの直径）まで拡開したときに、マーカーＭが差込み口Ｓ１（Ｓ２）を通過して取り出すことができる。
【００３７】
本実施例では、マーカー保持部３の片部材６が片部材５と対称な形状に形成された場合を説明したが、マーカーＭの最大幅寸法ｍｓと同一の寸法に形成されたマーカー保持空間Ｓと、マーカーＭの最大幅寸法ｍｓよりも小さな寸法に形成された差込み口Ｓ１（Ｓ２）を備えていれば、これに限定されず、片部材６と片部材５が非対称の形状に形成されても良い。例えば、片部材５が直線状に形成され、片部材６が弓状に形成されていても良い。
また、本実施例では、片部材５の頂辺５ｄと片部材６の頂辺６ｄの双方に鍔部５ｅ，６ｅを形成した場合を説明したが、マーカーＭがマーカー保持空間Ｓから脱落することを防止できれば、鍔部は、片部材５の頂辺５ｄと片部材６の頂辺６ｄのどちらか一方に形成されていても良い。
【００３８】
本実施例では、本体部２が弾性を備えた合成樹脂で形成された場合を想定して説明したが、競技者のシューズに取り付けた際に、競技中や移動中の動作によって破損することのない程度の強度を備えていれば、これに限定されるものではなく、他の材質で形成されていても良い。
例えば、鋳物や金物の板であっても良い。この場合には、マーカー保持部３の片部材５及び片部材６や固定部４の咥え部は、薄肉に形成されることで弾性を持たせることができる。
【実施例２】
【００３９】
上述した実施例１では、マーカー保持部３の一対の片部材５，６が本体部２から一体に立ち上がっている場合を説明したが、マーカー保持部３を次のように構成すれば、マーカー保持空間ＳへのマーカーＭの出し入れが更に容易となる。
すなわち、マーカー保持部３は、図１１に示すように、該本体部２の表面２ａ側に沿って、該本体部２に対して軸回転可能に配された板状の基板９を備えるとともに、互いに対向した一対の片部材５，６とマーカーＭの差込み口Ｓ１，Ｓ２とマーカー保持空間Ｓは、該基板の表面に備えられている。
【００４０】
この場合、基板９を本体部２に対して軸回転可能とする構成については、特に限定しないが、例えば次のように構成すれば良い。
基板９には、基板９の平面視中央に、基板９の裏面９ｂ（本体部２側の面）から、表面９ａ（反本体部２側の面）に向けて、基板９の表裏面９ａ，９ｂに対して直交した、非貫通の丸穴９ｃが形成されている。さらに、基板９の表面９ａには、該非貫通の丸穴９ｃに向けて、ビス穴９ｄが形成されている。
また、本体部２には、本体部２の平面視中央に、本体部２の表面２ａから裏面２ｂに、該表裏面２ａ，２ｂに対して直交して貫通した、丸穴９ｃと同径の穴２ｅが形成されている。
【００４１】
基板９の丸穴９ｃと本体部２の穴２ｅには、一本の丸軸１０で連結されている。
丸軸１０は、本体部２の穴２ｅ側から基板９の丸穴９ｃに挿し込まれる一端側１０ａと、本体部２の穴２ｅの穴径よりも大径に形成された頭部１０ｃを備えた他端側１０ｂと、一端側１０ａに形成されたビス穴１０ｄとからなる。
また、丸軸１０の長さは、該丸軸１０を本体部２の裏面２ｂ側から、本体部２の穴２ｅを通して、基板９の丸穴９ｃの奥まで挿し込んだ場合に、丸軸１０の他端側１０ｂに形成された頭部１０ｃが、本体部２の裏面２ｂに当接する長さに設定されている。
【００４２】
次に、このような構成による基板９を軸回転可能に組み合わせる手順を説明する。
まず、本体部２の表面２ａに基盤９を本体部２の穴２ｅと基盤９の丸穴９ｃが連通するように合わせて載置する。
次に、丸軸１０を本体部２の裏面２ｂ側から、本体部２の穴２ｅを通して、基板９の丸穴９ｃの奥まで挿し込む。このとき、丸軸１０の頭部１０ｃが本体部２の裏面２ｂに当接している。
次に、ビス９ｆを基板９の表面９ａのビス穴９ｄを通して、丸軸１０のビス穴１０ｄに捩じ込んで締め込むと、基板９と本体部２がとも締めされる。
このように組み合わされることによって、基板９は丸軸１０を回転軸として、本体部２に対して軸回転可能となる。
【００４３】
片部材５及び片部材６は、基板９の表面９ａから一体に立ち上がり、前述した実施例１と同様の形状に形成されている。
また、マーカーＭの差込み口Ｓ１は、基板９の表面９ａ上の片部材５の端部５ａと片部材６の端部６ａとの間に形成され、マーカーＭの差込み口Ｓ２は、基板９の表面９ａ上の片部材５の端部５ｂと片部材６の端部６ｂとの間に形成され、マーカー保持空間Ｓは、基板９の表面９ａ上の一対の片部材５と片部材６と間に形成されている。
なお、マーカーホルダ１の他の構成については、上述した実施例１の構成と同一であるので、ここでは、その説明を省略する。
【００４４】
基板９が本体部２に対して軸回転可能となることにより、競技者の好みに合わせて、マーカーＭの出し入れする際の差込み口Ｓ１（Ｓ２）の開口方向を自由に回転させることができる。
【実施例３】
【００４５】
上述した実施例１では、マーカー保持部３の片部材５及び片部材６が、本体部２から一体に立ち上がっている場合を説明したが、片部材５及び片部材６を次のように構成すれば、マーカー保持空間ＳへのマーカーＭの出し入れが更に容易となる。
すなわち、図１２に示すように、片部材５の端部５ａには、本体部２の表面２ａに沿った切り込み２ｅが形成され、片部材５の端部５ｂには、本体部２の表面２ａに沿った切り込み２ｆが形成されている。
また、図示を省略するが、片部材６の端部６ａにも上記端部５ａの切り込み２ｅと同様の切り込みが形成され、片部材６の端部６ｂにも上記端部５ｂの切り込み２ｆと同様の切り込みが形成されている。
なお、マーカーホルダ１の他の構成については、上述した実施例１の構成と同一であるので、ここでは、その説明を省略する。
【００４６】
また、実施例２のように、片部材５及び片部材６が、基板９から一体に立ち上がっている場合であっても、本実施例の構成を応用して適用可能である。
この場合には、図示を省略するが、片部材５の端部５ａには、基板９の表面９ａに沿った切り込み２ｅが形成され、片部材５の端部５ｂには、基板９の表面９ａに沿った切り込み２ｆが形成されていれば良い。
また、片部材６の端部６ａにも上記端部５ａの切り込み２ｅと同様の切り込みが形成され、片部材６の端部６ｂにも上記端部５ｂの切り込み２ｆと同様の切り込みが形成されていれば良い。
【００４７】
片部材５の端部５ａ，５ｂ及び片部材６の端部６ａ，６ｂがこのように形成されることにより、差込み口Ｓ１（Ｓ２）が拡開し易くなる。すなわち、切り込み２ｆによって、端部５ａ，５ｂ及び端部６ａ，６ｂは、片部材５及び片部材６の中央部側からのみ連続している状態であるので、ガイド部分５ｇ及びガイド部分６ｆに外向きの力が加えられた場合に拡開し易くなる。
これにより、マーカーＭをマーカー保持空間Ｓに差し込んだり取り出したりする際に、競技者がマーカーＭに加えなければならない力が少しで済むので、マーカー保持空間ＳへのマーカーＭの出し入れが容易となる。
また、片部材５及び片部材６が鋳物や金物の板で形成されている場合には、切り込み２ｆの効果を顕著に奏することができる。
【実施例４】
【００４８】
上述した実施例１では、マーカー保持部３の片部材５の反本体部２側に形成される頂辺５ｄ及び、片部材６の反本体部２側に形成される頂辺６ｄが、本体部２の表面２ａと並行に形成された場合を説明したが、片部材５の頂辺５ｄ及び片部材６の頂辺６ｄを次のように構成すれば、マーカー保持空間ＳへのマーカーＭの出し入れが更に容易となる。
すなわち、図１３に示すように、マーカー保持部３の片部材５の反本体部２側に形成される頂辺５ｄが、片部材５の中央部５ｃ側から両端部（端部５ａ，５ｂ）にかけて、徐々に本体部２の表面２ａから離間するように形成されている。また、マーカー保持部３の片部材６の反本体部２側に形成される頂辺６ｄが、片部材６の中央部６ｃ側から両端部（端部６ａ，６ｂ）にかけて、徐々に本体部２の表面２ａから離間するように形成されている。
なお、マーカーホルダ１の他の構成については、上述した実施例１の構成と同一であるので、ここでは、その説明を省略する。
また、実施例２の構成や実施例３の構成においても、本実施例の構成を応用して適用可能である。
【００４９】
頂辺５ｄ及び頂辺６ｄがこのように形成されることにより、片部材５の端部５ａ及び片部材６の端部６ａで形成される差込み口Ｓ１と、片部材６の頂辺６ａ及び端部６ｂで形成される差込み口Ｓ２は、ラッパ状の開口を形成する。これにより、マーカーＭをマーカー保持空間Ｓに差し込む際に、マーカーＭが本体部２の表面２ａに対して斜めになっていても、マーカー保持空間Ｓへ差し入れることができる。
また、マーカーＭをマーカー保持空間Ｓから取り出す際には、マーカーＭをマーカー保持空間Ｓから差込み口Ｓ１又は差込み口Ｓ２へとスライドさせた後、マーカーＭの裏面Ｍ２に爪を引っ掛けて引き上げることができるので、マーカーＭの取り出しが容易となる。
【実施例５】
【００５０】
上述した実施例１では、脱落防止構造Ｄとして、片部材５の頂辺５ｄに鍔部５ｅを形成し、片部材６の頂辺６ｄに鍔部６ｅを形成した構成を説明したが、脱落防止構造Ｄは、片部材５の頂辺５ｄと片部材６の頂辺６ｄとの間に掛け渡されて形成されていても良い。
例えば、図１４では、片部材５の中央部５ｃと片部材６の中央部６ｃとの間には、その頂辺５ｄと頂辺６ｄとに掛け渡され固定された蓋部材１１が形成されている。
脱落防止構造Ｄをこのように構成した場合には、蓋部材１１が、マーカー保持空間Ｓに保持されたマーカーＭの表面Ｍ１の一部を覆うので、マーカーＭがマーカー保持空間Ｓから脱落することを防止できる。
【００５１】
また、上述した実施例１乃至実施例５で説明したマーカーホルダ１は、円板状のマーカーＭを保持する場合を想定して説明したが、マーカーＭの形状は、これに限定されず、板状であれば他の形状であっても良い。例えば、三角形や四角形であっても良い。この場合であっても、マーカーＭの最大幅寸法ｍｓと同一の寸法に形成されたマーカー保持空間Ｓと、マーカーＭの最大幅寸法ｍｓよりも小さな寸法に形成された差込み口Ｓ１（Ｓ２）を備えていれば良い。
【００５２】
なお、マーカーホルダ１は、マーカー保持空間ＳのマーカーＭを差込み口Ｓ１（Ｓ２）と脱落防止構造Ｄによって保持するので、マーカーＭの材質を問わずに適用可能である。例えば、マーカーＭは、樹脂製であっても良く、或いは、金属製であっても良い。
【符号の説明】
【００５３】
１  マーカーホルダ
２  本体部
２ａ  本体部の表面
２ｂ  本体部の裏面
２ｆ  本体部の表面に沿った切り込み
３  マーカー保持部
４  固定部
５  片部材
５ａ  片部材の一方の端部
５ｂ  片部材の他方の端部
５ｃ  片部材の中央部
６  片部材
６ａ  片部材の一方の端部
６ｂ  片部材の他方の端部
６ｃ  片部材の中央部
７  固定部の咥え部
８  固定部の突出部
８ａ  突出部の穴部
Ｄ  脱落防止構造
Ｍ  マーカー
Ｓ  マーカー保持空間
Ｓ１  差込み口
Ｓ２  差込み口
Ｒ  シューズの紐
【図１】
0003162356.tif 000003
【図２】
0003162356.tif 000004
【図３】
0003162356.tif 000005
【図４】
0003162356.tif 000006
【図５】
0003162356.tif 000007
【図６】
0003162356.tif 000008
【図７】
0003162356.tif 000009
【図８】
0003162356.tif 000010
【図９】
0003162356.tif 000011
【図１０】
0003162356.tif 000012
【図１１】
0003162356.tif 000013
【図１２】
0003162356.tif 000014
【図１３】
0003162356.tif 000015
【図１４】
0003162356.tif 000016
【手続補正書】
【提出日】平成22年4月1日(2010.4.1)
【手続補正１】
【補正対象書類名】実用新案登録請求の範囲
【補正対象項目名】全文
【補正方法】変更
【補正の内容】
【実用新案登録請求の範囲】
【請求項１】
板状の本体部と、
該本体部の表面側に備えられ、板状のボールマーカーを保持可能なマーカー保持部と、
該本体部の裏面側に備えられ、該本体部を競技者のゴルフシューズに固定する固定部とを備え、
固定部は、
該本体部の裏面から所定距離離間して、本体部の裏面に沿って所定の長さを有し、一方が開放端となった咥え部と、
該咥え部の開放端に備えられ、本体部の裏面側に当接する突出部と、
該突出部に形成され、ゴルフシューズの靴紐を挿通可能な筒状の穴部と
を備えてなることを特徴とするボールマーカーホルダ。
【請求項２】
咥え部の反本体部裏面側は、平坦な平板に形成されており、
突出部が本体部の裏面に当接したときに、咥え部は、本体部の裏面と並行になるように構成されていることを特徴とする請求項１に記載のボールマーカーホルダ。
【請求項３】
咥え部は弾性を有し、
該咥え部の弾性によって、突出部が本体部の裏面に押し付けられていることを特徴とする請求項１または請求項２のいずれかに記載のボールマーカーホルダ。
【請求項４】
マーカー保持部は、
互いに対向した一対の片部材と、
該一対の片部材間に形成され、ボールマーカーを保持するマーカー保持空間と、
該一対の片部材の一方の端部間と他方の端部間とのどちらか一方若しくは双方に形成され、マーカー保持空間と連通したボールマーカー差込み口とを備え、
ボールマーカー差込み口の寸法は、ボールマーカーの最大幅寸法よりも小さく、マーカー保持空間の一対の片部材の中央部間の寸法は、ボールマーカーの最大幅寸法と同一若しくは僅かに大きく設定され、
マーカー保持空間には、保持されたボールマーカーの脱落を防止する脱落防止構造を備えている
ことを特徴とする請求項１乃至請求項３のいずれかに記載のボールマーカーホルダ。
【請求項５】
マーカー保持部は、該本体部の表面側に沿って、該本体部に対して軸回転可能に配された板状の基板を備え、
互いに対向した一対の片部材とボールマーカー差込み口とマーカー保持空間は、該基板の表面に備えられている
ことを特徴とする請求項４に記載のボールマーカーホルダ。
【請求項６】
脱落防止構造は、一方若しくは双方の片部材の反本体部側の頂辺から、マーカー保持空間側に向けて突出した鍔部を形成し、
該鍔部は、ボールマーカーをマーカー保持空間に保持した場合に、ボールマーカーの表面の少なくとも一部を覆うように形成されている
ことを特徴とする請求項４又は請求項５のいずれかに記載のボールマーカーホルダ。
【請求項７】
脱落防止構造は、一対の片部材間に掛け渡され固定された蓋部材で形成され、
該蓋部材は、ボールマーカーをマーカー保持空間に保持した場合に、ボールマーカーの表面の少なくとも一部を覆うように形成されている
ことを特徴とする請求項４又は請求項５のいずれかに記載のボールマーカーホルダ。
【請求項８】
一対の片部材のボールマーカー差込み口を形成する端部には、本体部の表面に沿った切り込みが形成されている
ことを特徴とする請求項４乃至請求項７のいずれかに記載のボールマーカーホルダ。
【請求項９】
一対の片部材のボールマーカー差込み口を形成する端部の反本体部側の頂辺は、一対の片部材の中央部側から端部にかけて、徐々に本体部の表面から離間するように形成されている
ことを特徴とする請求項４乃至請求項８のいずれかに記載のボールマーカーホルダ。
【手続補正２】
【補正対象書類名】明細書
【補正対象項目名】０００８
【補正方法】変更
【補正の内容】
【０００８】
第４の技術的手段は、第１乃至第３の技術的手段のいずれかにおいて、マーカー保持部は、互いに対向した一対の片部材と、該一対の片部材間に形成され、マーカーを保持するマーカー保持空間と、該一対の片部材の一方の端部間と他方の端部間とのどちらか一方若しくは双方に形成され、マーカー保持空間と連通したマーカー差込み口とを備え、マーカー差込み口の寸法は、マーカーの最大幅寸法よりも小さく、マーカー保持空間の一対の片部材の中央部間の寸法は、マーカーの最大幅寸法と同一若しくは僅かに大きく設定され、マーカー保持空間には、保持されたマーカーの脱落を防止する脱落防止構造を備えていることを特徴とするマーカーホルダとしたことである。
第５の技術的手段は、第４の技術的手段のいずれかにおいて、マーカー保持部は、該本体部の表面側に沿って、該本体部に対して軸回転可能に配された板状の基板を備え、互いに対向した一対の片部材とマーカー差込み口とマーカー保持空間は、該基板の表面に備えられていることを特徴とするマーカーホルダとしたことである。
【手続補正３】
【補正対象書類名】明細書
【補正対象項目名】０００９
【補正方法】変更
【補正の内容】
【０００９】
第６の技術的手段は、第４又は第５の技術的手段のいずれかにおいて、脱落防止構造は、一方若しくは双方の片部材の反本体部側の頂辺から、マーカー保持空間側に向けて突出した鍔部を形成し、該鍔部は、マーカーをマーカー保持空間に保持した場合に、マーカーの表面の少なくとも一部を覆うように形成されていることを特徴とするマーカーホルダとしたことである。
第７の技術的手段は、第４又は第５の技術的手段のいずれかにおいて、脱落防止構造は、一対の片部材間に掛け渡され固定された蓋部材で形成され、該蓋部材は、マーカーをマーカー保持空間に保持した場合に、マーカーの表面の少なくとも一部を覆うように形成されていることを特徴とするマーカーホルダとしたことである。
【手続補正４】
【補正対象書類名】明細書
【補正対象項目名】００１０
【補正方法】変更
【補正の内容】
【００１０】
第８の技術的手段は、第４乃至第７の技術的手段のいずれかにおいて、一対の片部材のマーカー差込み口を形成する端部には、本体部の表面に沿った切り込みが形成されていることを特徴とするマーカーホルダとしたことである。
第９の技術的手段は、第４乃至第８の技術的手段のいずれかにおいて、一対の片部材のマーカー差込み口を形成する端部の反本体部側の頂辺は、一対の片部材の中央部側から端部にかけて、徐々に本体部の表面から離間するように形成されてことを特徴とするマーカーホルダとしたことである。